(57)【要約】  【課題】  瞬間流量が少ない場合及び多い場合にも給油量が正確に補正でき、補正係数の変更を簡単にできないようにして不正給油が防止できる給油装置を提供する。  【解決手段】  給油管に流量計（５）を介装し、給油管を給油ホースを介して給油ノズルに接続し、流量計（５）から流量信号を受けて給油量を演算する制御装置（１０）と、制御装置（１０）で演算された給油量を表示する表示器（１１）を設けた給油装置において、制御装置（１０）には、暗証番号を記憶する暗証番号記憶手段（３５）と、流量計（５）による測定量と計量升による測定量との比である補正係数を記憶する補正係数記憶手段（２７）と、入力手段（３６）から入力された暗証番号と暗証番号記憶手段（３５）に記憶されている暗証番号との一致を判断する比較手段（３７）が設けられ、比較手段（３７）の判断に基づいて入力手段（３６）から入力された補正係数が補正係数記憶手段（２７）に記憶される。  【選択図】  図３
2007001664.tif 000002
【特許請求の範囲】
【請求項１】
給油管に流量計を介装し、給油管を給油ホースを介して給油ノズルに接続し、流量計から流量信号を受けて給油量を演算する制御装置と、制御装置で演算された給油量を表示する表示器を設けた給油装置において、前記制御装置には、暗証番号を記憶する暗証番号記憶手段と、流量計（５）による測定値と計量升に給油された量から演算した補正係数を記憶する補正係数記憶手段と、入力手段から入力された暗証番号と暗証番号記憶手段に記憶されている暗証番号との一致を判断する比較手段とが設けられ、比較手段の判断に基づいて入力手段から入力された補正係数が補正係数記憶手段に記憶されることを特徴とした給油装置。
【請求項２】
前記流量計は、1対の回転体を互いに噛み合わせた回転式流量計である請求項１に記載の給油装置。
【請求項３】
前記入力手段は、キーパッド又は可搬式コンピュータである請求項１又は２に記載の給油装置。
【発明の詳細な説明】
【技術分野】
【０００１】
本発明は、給油装置に関するものであり、例えば自動車へ燃料油を給油する給油装置に関する。
【背景技術】
【０００２】
給油所で自動車へ燃料油を給油する給油装置には流量計が設けられ、給油量が予め決められた器差範囲内で正確に表示器に表示されるようになっている。この流量計には、シリンダ内に設けたピストンの移動量を回転運動に変えてシリンダ内の油量を計測するピストン式流量計を用いている。このピストン式流量計の場合に、表示量と実液量との器差を調整するには、シリンダ端部に設けたピンでピストンの移動量を調整して行っている。
【０００３】
ところで近年、ピストン式流量計に替わって、ヘリカルロータを互いに噛み合わせた回転式流量計が給油装置に搭載されるようになってきている。この回転式流量計の器差補正は、複数の補正係数の内の一つをディップスイッチで選択して設定し、選択された補正係数で補正された給油量を表示器に表示するようにしている。
このように、一つの補正係数で全ての瞬間流量域を補正しているために、瞬間流量が少ない場合や、逆に瞬間流量が多い場合には、給油量を正確に補正できない不都合がある。
【０００４】
また、補正係数をディップスイッチで選択しているために、比較的簡単に補正係数が変更でき、補正係数を変更して不正給油が行われる虞がある。
【０００５】
なお、給油に際して補正を行うものは種々知られているが、いずれも充分でない。（特許文献１、２参照）
【特許文献１】特開昭６１−７５２１９号公報
【特許文献２】特開平１０−３２９８９６号公報
【発明の開示】
【発明が解決しようとする課題】
【０００６】
本発明は上記した従来技術の問題点に鑑みてなされたもので、瞬間流量が少ない場合及び多い場合にも給油量が正確に補正でき、補正係数の変更を簡単にできないようにして不正給油が防止できる給油装置を提供することを目的としている。
【課題を解決するための手段】
【０００７】
本発明の給油装置は、給油管（３）に流量計（５）を介装し、給油管（３）を給油ホース（６）を介して給油ノズル（７）に接続し、流量計（５）から流量信号を受けて給油量を演算する制御装置（１０）と、制御装置（１０）で演算された給油量を表示する表示器（１１）を設けた給油装置において、前記制御装置（１０）には、暗証番号を記憶する暗証番号記憶手段（３５）と、流量計（５）による測定値と計量升に給油された量から演算した補正係数を記憶する補正係数記憶手段（２７）と、入力手段（３６）から入力された暗証番号と暗証番号記憶手段（３５）に記憶されている暗証番号との一致を判断する比較手段（３７）とが設けられ、比較手段（３７）の判断に基づいて入力手段（３６）から入力された補正係数が補正係数記憶手段（２７）に記憶される。
【０００８】
このように、補正係数を変更するには暗証番号が必要なので、暗証番号を知っている責任者だけが補正係数を変更でき、不正給油を防止することができる。
【０００９】
そして、前記流量計（５）は、1対の回転体（１９）を互いに噛み合わせた回転式流量計であることが好ましい。
【００１０】
回転式流量計を用いると、流量に脈動が少なくなり、正確な瞬間流量が得られる。
【００１１】
さらに、前記入力手段（３６）は、キーパッド（１３）又は可搬式コンピュータであることが、入力の簡便さの点で好ましい。
【発明の効果】
【００１２】
本発明の給油装置の効果を、以下に列挙する。
（１）  補正係数を変更するには暗証番号が必要なので、暗証番号を知っている責任者だけが補正係数を変更でき、不正給油を防止することができる。
（２）  補正係数記憶手段には各瞬間流量域毎に補正係数が記憶され、瞬間流量測定手段で測定された瞬間流量に対応した補正係数で補正されるので、瞬間流量が少ない場合及び多い場合でも給油量が正確に補正できる。
（３）  １対の回転体を互いに噛み合わせた回転式流量計を使用することにより、流量に脈動が少なくなり、正確な瞬間流量に基づいて正確な補正係数が求まり、正確に補正された給油量が得られるようになる。
（４）  キーパッド又は可搬式コンピュータを入力手段とすることにより、入力が簡便となる。
【発明を実施するための最良の形態】
【００１３】
以下、図面を参照して、本発明の実施の形態を説明する。
図１に示すように、給油装置１のハウジング２内に配設された給油管３にはポンプ４及び流量計５が介装され、給油管３に接続された給油ホース６の先端には給油ノズル７が取り付けられている。そして、給油ノズル７はハウジング２に設けられたノズル掛け８に掛脱され、給油ノズル７の掛脱を検知してオンーオフ信号を出力するノズルスイッチ９が設けられている。
【００１４】
制御装置１０は、ノズルスイッチ９からオン信号を受けて表示器１１を帰零し、ポンプ４を駆動するモータ１２を起動し、流量計５から流量信号を受けて給油量を演算し、演算した給油量を表示器１１に表示し、ノズルスイッチ９からオフ信号を受けて、モータ１２を停止する。なお、図中の符号１３は、各種のデータを入力するキーパッドである。
【００１５】
図２に示すように、流量計５は、流入口１５及び流出口１６を設けたケース１７と、ケース１７内に設けられた一対の軸１８に嵌入した一対の回転体１９と、パルス発信器２０で構成されている。一対の軸１８は図示しない歯車により連動され、回転体１９がスムーズに回転するようになっている。
また、パルス発信器２０は密閉ケース内に設けられ、回転体１９とパルス発信器２０とは図示しない磁気継手を介して接続され、液漏れが生じない構造となっている。
【００１６】
なお、図中符号２１はケース１７の溝１７ａに入れられるシール用のＯリングで、符号２２はパルス発信器２０をケース１７に取り付けるボルトである。
【００１７】
図３に示すように、制御装置１０は、ノズルスイッチ９からオン信号を受けてモータ１２を起動し、ノズルスイッチ９からオフ信号を受けてモータ１２を停止するモータ駆動手段２５と、流量計５のパルス発信器２０から流量信号を受けて瞬間流量を測定する瞬間流量測定手段２６と、補正計数を記憶した補正計数記憶手段２７と、瞬間流量測定手段２６から瞬間流量値を受けて補正係数記憶手段２７から補正係数を選択する補正係数選択手段２８と、パルス発信器２０から流量信号及び補正係数選択手段２８から補正係数を受けて１パルス当りの給油量を演算し、整数値及び端数値を出力する給油量演算手段２９と、給油量演算手段２９から受けた端数値を積算し、整数値を出力する端数記憶手段３０と、給油量演算手段２９及び端数記憶手段３０から受けた整数値を積算する第一の計数手段３１と、パルス発信器２０の流量信号を積算する第二の計数手段３２と、瞬間流量測定手段２６、第一の計数手段３１、及び第二の計数手段３２から受けた数値を選択的に表示器１１に表示する表示器駆動手段３３とを具備している。
【００１８】
そして、ノズルスイッチ９からオン信号を受けて、端数記憶手段３０、第一の計数手段３１、及び第二の計数手段３２の数値は帰零されるように構成されている。
【００１９】
さらに、制御装置１０は、暗唱番号を記憶した暗唱番号記憶手段３５と、入力手段３６から入力した暗唱番号と暗唱番号記憶手段３５に記憶されている暗唱番号との一致を判断する比較手段３７と、比較手段３７から一致信号を受けて開かれるゲート３８とを具備している。そして、ゲート３８が開くことにより、入力手段３６から入力される補正係数データが補正係数記憶手段２７に記憶されるようになっている。
【００２０】
なお、入力手段３６としては、給油装置１に設けられているキーパッド１３、または図示しない可搬式コンピュータが使用され、可搬式コンピュータの場合は有線または無線で補正係数データが入力される。
【００２１】
次に、図４、５に基づいて、補正係数記憶手段２７に補正係数を記憶する態様を説明する。図５に示すように、補正係数４０ａ、４０ｂ・・・は、各瞬間流量域４１ａ、４１ｂ・・・毎に補正係数記憶手段２７に記憶されている。また、補正係数４０ａ、４０ｂ・・・は複数回実測し、その平均値を記憶するようにしている。
【００２２】
補正係数を実測するには、キーパット１３から表示器駆動手段３３に表示切替信号を入力し、瞬間流量測定手段２６の瞬間流量値を表示器１１へ表示するようにする（ＳＴ１）。そして、給油ノズル７をノズル掛け８から外してノズルスイッチ９が閉じると、ノズルスイッチ９からオン信号が制御装置１０に入力し、モータ駆動手段２５はモータ１２を起動する。
【００２３】
次に、給油ノズル７の弁開レバーを引くと、貯油タンクからの油はポンプ４、流量計５を介して給油ノズル７から吐出される。そして、流量計５のパルス発信器２０から流量信号が制御装置１０に入力すると、瞬間流量測定手段２６で測定された瞬間流量値が表示器駆動手段３３を介して表示器１１に表示される。この瞬間流量値が流量域４１ａの中央値（３Ｌ／分）になるように、治具等を用いて給油ノズル７の弁開レバーを固定する（ＳＴ２）。
【００２４】
ノズルスイッチ９を開いてオフ信号を制御装置１０に入力すると、モータ駆動手段２５はモータ１２を停止する。そして、キーパッド１３から表示器駆動手段３３に表示切替信号を入力し、第二の計数手段３２の給油量を表示器１１へ表示するようにする（ＳＴ３）。
【００２５】
給油ノズル７を計量升、例えば２０Ｌの計量升に挿入し、ノズルスイッチ９を閉じてオン信号を制御装置１０に入力すると、モータ駆動手段２５はモータ１２を起動し、第二の計数手段３２の前回の数値が帰零され、給油ノズル７から計量升に油が吐出される。そして、流量計５のパルス発信器２０から流量信号が制御装置１０に入力し、第二の計数手段３２の給油量が表示器駆動手段３３を介して表示器１１に表示される。
【００２６】
表示器１１の表示値が２０Ｌ前後になったらノズルスイッチ９を開いてオフ信号を制御装置１０に入力すると、モータ駆動手段２５はモータ１２を停止する（ＳＴ４）。そして、表示器１１の表示値及び計量升に給油された量から補正係数を演算し、その数値を記録する（ＳＴ５）。
【００２７】
この補正係数の演算は各瞬間流量域４１ａ、４１ｂ・・・毎に複数回実行され、全瞬間流量域の計量が終ったならば（ＳＴ６）、制御装置１０を保守モードにする（ＳＴ７）。制御装置１０を保守モードにするには、入力手段３６から暗唱番号を比較手段３７へ入力し、暗唱番号が暗唱番号記憶手段３５の記憶値と一致しているとゲート３８が開いて保守モードとなる。
【００２８】
そして、計量した流量計番号及び演算した補正係数等のデータを入力手段３６から入力すると、データは補正係数記憶手段２７に記憶される（ＳＴ８）。
【００２９】
以上のように、補正係数記憶手段２７に補正係数を記憶し、キーパッド１３を操作して制御装置１０を給油モードにして給油が行われる。制御装置１０を給油モードにすると、第一の計数手段３１の給油量が表示器駆動手段３３を介して表示器１１に表示されるようなる。
【００３０】
次に、給油の態様、及び図６、７に基づいて流量補正の態様を説明する。給油ノズル７をノズル掛け８から外すと、ノズルスイッチ９からオン信号が制御装置１０に入力し、モータ駆動手段２５はモータ１２を起動し、端数記憶手段３０及び第一の計数手段３１の前回の数値が帰零される。給油ノズル７を自動車の給油口へ挿入して弁開レバーを引くと、貯油タンクからの油はポンプ４及び流量計５を介して給油ノズル７から吐出される。
【００３１】
流量計５のパルス発信器２０から流量信号が制御装置１０に入力すると（ＳＴ１０）、瞬間流量測定手段２６は瞬間流量の測定を開始する（ＳＴ１１）。瞬間流量の測定は、所定数、例えば流量信号が８個入力する毎に（ＳＴ１２）、瞬間流量を演算する（ＳＴ１３）。
【００３２】
そして、補正係数選択手段２８は演算された瞬間流量域に該当した補正係数を補正係数記憶手段２７から選択し、選択した補正係数を給油量演算手段２９へ出力する。例えば、演算された瞬間流量が２３Ｌの場合は、瞬間流量域４１ｅの補正係数１．０１７０を選択して給油量演算手段２９へ出力する。
【００３３】
一方、給油量演算手段２９は、流量計５のパルス発信器２０から流量信号が入力する毎に（ＳＴ１５）、１パルスを第一の計数手段３１へ出力し、補正係数の端数部分０．０１７０を端数記憶手段３０へ出力する（ＳＴ１６）。
【００３４】
そして、端数記憶手段３０は端数を加算して整数部分が生じる毎に（ＳＴ１７）、１パルスを第一の計数手段３１へ出力する（ＳＴ１８）。第一の計数手段３１は、給油量演算手段２９及び端数記憶手段３０からのパルスを積算し、表示器駆動手段３３を介して表示器１１に表示する。
【００３５】
このようにして、瞬間流量が変わる毎に、その瞬間流量域の補正係数が選択され、瞬間流量域に見合った補正係数で補正された給油量が表示器１１に表示されるので、計量精度が高い給油装置となる。
【００３６】
給油が終わり、給油ノズル７をノズル掛け８に掛けると、ノズルスイッチ９からオフ信号が制御装置１０に入力し、モータ駆動手段２５はモータ１２を停止して、給油作業が終わる。
【００３７】
次に、図８に基づいて補正係数に整数部がない場合の態様を説明する。この場合には、給油量演算手段２９は、流量計５のパルス発信器２０から流量信号が入力する毎に（ＳＴ２０）、補正係数を端数記憶手段３０へ出力する（ＳＴ２１）。
【００３８】
そして、端数記憶手段３０は端数を積算して整数部分が生じる毎に（ＳＴ２２）、１パルスを第一の計数手段３１へ出力する（ＳＴ２３）。第一の計数手段３１は端数記憶手段３０からのパルスを積算し、表示器駆動手段３３を介して表示器１１に表示する。
【図面の簡単な説明】
【００３９】
【図１】本発明の給油装置の正面図。
【図２】流量計を分解した状態の斜視図。
【図３】制御装置のブロック図。
【図４】補正係数記憶手段に補正係数を記憶する動作を示すフロー図。
【図５】補正係数記憶手段に記憶される補正係数の図。
【図６】瞬間流量を測定する動作を示すフロー図。
【図７】給油量を補正する動作を示すフロー図。
【図８】他の実施の形態の給油量を補正する動作を示すフロー図。
【符号の説明】
【００４０】
１・・・給油装置
２・・・ハウジング
３・・・給油管
４・・・ポンプ
５・・・流量計
６・・・給油ホース
７・・・給油ノズル
８・・・ノズル掛け
９・・・ノズルスイッチ
１０・・・制御装置
１１・・・表示器
１２・・・モータ
１３・・・キーパッド
１５・・・流入口
１６・・・流出口
１７・・・ケース
１８・・・軸
１９・・・回転体
２０・・・パルス発信器
２１・・・Ｏリング
２２・・・ボルト
２５・・・モータ駆動手段
２６・・・瞬間流量測定手段
２７・・・補正係数記憶手段
２８・・・補正係数選択手段
２９・・・給油量演算手段
３０・・・端数記憶手段
３１・・・第一の計数手段
３２・・・第二の計数手段
３３・・・表示器駆動手段
３５・・・暗証番号記憶手段
３６・・・入力手段
３７・・・比較手段
３８・・・ゲート
４０・・・補正係数
４１・・・瞬間流量域
【図１】
2007001664.tif 000003
【図２】
2007001664.tif 000004
【図３】
2007001664.tif 000005
【図４】
2007001664.tif 000006
【図５】
2007001664.tif 000007
【図６】
2007001664.tif 000008
【図７】
2007001664.tif 000009
【図８】
2007001664.tif 000010